(57)【要約】【課題】掛合位置から非掛合位置に向けた雄パーツの回動操作によってパネル穴との掛合を解除できるように構成された取り付け体において、弾性掛合爪に雄パーツのこの回動を解除可能に阻止する機能を併有させないようにする。【解決手段】雌パーツ１に、非掛合位置に向けた雄パーツ２の回動を阻止するように、この雄パーツ２に形成されたターンロック部２１３のこの回動先側に向けたロック面２１３ａに突き当たる受けロック面１６２を備えた受けターンロック部１６１が形成されていると共に、このターンロック部２１３及び受けターンロック部１６１の双方又はいずれか一方が、非掛合位置に向けた雄パーツ２の回動によって、ロック面２１３ａと受けロック面１６２との突き当たりを解く向きに弾性変形されるようになっている。【選択図】図５
2006090439.tif 000002
【特許請求の範囲】
【請求項１】
パネル穴にはめ込まれてこのパネル穴に掛合固定される雌パーツと、
頭部とこの雌パーツに入れ込まれる脚部とを有すると共に、この脚部に雌パーツの側部に形成された通し部から外方に突き出してパネル穴に掛合される弾性掛合爪を備えた雄パーツとを備えており、
雌パーツの内部には、雄パーツの脚部を回動軸としたこの雄パーツの回動を案内する案内面が形成されており、雄パーツは弾性掛合爪を通し部から突き出した掛合位置からこの弾性掛合爪を雌パーツ内に引き込ませる非掛合位置に向けた回動可能に雌パーツに組み合わされるようになっており、
しかも、雌パーツに、非掛合位置に向けた雄パーツの回動を阻止するように、この雄パーツに形成されたターンロック部のこの回動先側に向けたロック面に突き当たる受けロック面を備えた受けターンロック部が形成されていると共に、
このターンロック部及び受けターンロック部の双方又はいずれか一方が、非掛合位置に向けた雄パーツの回動操作によって、ロック面と受けロック面との突き当たりを解く向きに弾性変形されるようになっていることを特徴とするパネル穴への取り付け体。
【請求項２】
ターンロック部が、雄パーツの脚部における弾性掛合爪の形成位置よりも先に形成されていると共に、
受けターンロック部が、雌パーツにおける案内面の形成位置より奥に形成されていることを特徴とする請求項１記載のパネル穴への取り付け体。
【請求項３】
受けターンロック部が、片一端を雌パーツの内壁に一体に連接させて雄パーツの脚部の回動先側に向けて弧状に延びると共に、片他端に受けロック面を備えた弾性片として構成されていることを特徴とする請求項１又は請求項２記載のパネル穴への取り付け体。
【請求項４】
雌パーツが、開放された筒一端に外向きに突き出すフランジを備えた角穴状をなすパネル穴に整合した外郭形状を持った角筒状をなすように構成されていると共に、
この雌パーツにおける四つの側部の内の、背中合わせの向きにある一対の側部にそれぞれ通し部が形成され、
かつ、残りの二つの側部にそれぞれ、フランジに向いた掛合面を備えた弾性掛合片が形成されていることを特徴とする請求項１〜請求項３記載のパネル穴への取り付け体。
【請求項５】
請求項１〜請求項４のいずれか１項に記載のパネル穴への取り付け体における雄パーツの頭部に、線状体、管状体、又は棒状体のクランプ部を形成させてなることを特徴とするクランプ具。
【発明の詳細な説明】
【技術分野】
【０００１】
この発明は、自動車のボディパネルなどのパネルに貫通状態に設けられたパネル穴にはめ込まれて、このパネルに取り付け用いられる取り付け体、および、かかる取り付け体を含んで構成されるクランプ具の改良に関する。
【背景技術】
【０００２】
内装材取付孔に入れ込まれて保持片によって内装材に係合されるグロメット部材と、このグロメット部材に回転可能に入れ込まれると共にこのグロメット部材の側部に形成された間隙から外方に突き出されてパネル取付孔に係合される係合爪を備えたホルダー部材とから構成されたサンバイザーホルダーがある。（特許文献１参照）
【０００３】
しかるに、かかるサンバイザーホルダーにあっては、パネル取付孔にはホルダー部材の係合爪のみによって係合されるものであり、グロメット部材自体はボディパネルには係合されないものであった。
【０００４】
また、かかるサンバイザーホルダーにあっては、ホルダー部材の係合爪が前記間隙から突き出された係合位置からホルダー部材を略９０度ひねり回し操作すると、この係合爪の側部がこの間隙の縁に押し当てられて係合爪が内向きに撓み込まされてグロメット部材内に入り込みパネル取付孔とこの係合爪との係合が解かれるようになっているが、係合爪はホルダー部材のひねり回しによってこの係合爪に作用されるホルダー部材の軸線を巡る向きの力では撓み込みにくいため、この係合の解除に相応の力を必要とさせるものであった。（すなわち、解除のためのひねり回し操作におけるトルクが大きくなる。）こうした観点から、かかるサンバイザーホルダーにあっては、前記係合爪に解除用傾斜面を形成させているが、このような傾斜面は係合爪の係合代の減少をもたらすものとなる。
【特許文献１】特開２００２−３６８７３号公報
【発明の開示】
【発明が解決しようとする課題】
【０００５】
この発明が解決しようとする主たる問題点は、雌パーツと、この雌パーツ内に回動可能に入れ込まれると共に雌パーツの側部に形成された通し部を通じて外方に突き出してパネル穴に掛合される弾性掛合爪を備えた脚部を有した雄パーツとによって構成され、通し部から弾性掛合爪を突き出させた掛合位置からこの弾性掛合爪を雌パーツ内に引き込ませる非掛合位置に向けた雄パーツの回動操作によってパネル穴と雄パーツとの掛合を解除できるように構成されたこの種のパネル穴への取り付け体において、かかる弾性掛合爪に雄パーツのこの回動を解除可能に阻止する機能を併有させないようにする点にある。
【課題を解決するための手段】
【０００６】
前記問題点を解決するために、この発明にあっては、パネル穴への取り付け体を、以下の（１）〜（５）の構成を備えたものとした。
（１）パネル穴にはめ込まれてこのパネル穴に掛合固定される雌パーツと、
（２）頭部とこの雌パーツに入れ込まれる脚部とを有すると共に、この脚部に雌パーツの側部に形成された通し部から外方に突き出してパネル穴に掛合される弾性掛合爪を備えた雄パーツとを備えており、
（３）雌パーツの内部には、雄パーツの脚部を回動軸としたこの雄パーツの回動を案内する案内面が形成されており、雄パーツは弾性掛合爪を通し部から突き出した掛合位置からこの弾性掛合爪を雌パーツ内に引き込ませる非掛合位置に向けた回動可能に雌パーツに組み合わされるようになっており、
（４）しかも、雌パーツに、非掛合位置に向けた雄パーツの回動を阻止するように、この雄パーツに形成されたターンロック部のこの回動先側に向けたロック面に突き当たる受けロック面を備えた受けターンロック部が形成されていると共に、
（５）このターンロック部及び受けターンロック部の双方又はいずれか一方が、非掛合位置に向けた雄パーツの回動操作によって、ロック面と受けロック面との突き当たりを解く向きに弾性変形されるようになっている。
【０００７】
かかる構成によれば、パネル穴に掛合固定された雌パーツ内に脚部を入れ込ませた雄パーツの弾性掛合爪を雌パーツの通し部を通じてパネル穴に掛合させることができ、これにより、パネル穴に雄パーツを留め付けることができる。また、このように留め付けられた雄パーツを非掛合位置に向けて雌パーツ内で回動させることにより、弾性掛合爪を雌パーツ内に引き込ませることができ、これにより、雌パーツをパネル穴に残しながら雄パーツとパネル穴との掛合を解いてパネル穴から雄パーツを取り外すことができる。また、かかる雄パーツの非掛合位置に向けた回動は、ターンロック部のロック面と受けターンロック部の受けロック面との突き当たりによって阻止されることから、予期せず雄パーツが回動されてパネル穴と雄パーツとの留め付け状態が解かれてしまうことはない。その一方で、雄パーツの前記非掛合位置に向けた回動は、前記弾性変形によるロック面と受けロック面との突き当たりを解くことによって確保させることができる。雄パーツの弾性掛合爪は前記非掛合位置に向けた回動により雌パーツ内に引き込み可能な状態でこの雌パーツの通し部から外方に突き出されるが、ターンロック部と受けターンロック部はこの弾性掛合爪及び通し部とは別個に形成されており、非掛合位置に向けた雄パーツの回動の阻止を通し部に弾性掛合爪を突き当てさせることにより実現させる訳ではないので、この回動にあたって弾性掛合爪を無理に変形させてしまうことはなく、この回動のための弾性変形を生じ易くすることができると共に、弾性掛合爪の掛合代（掛合面）を減らすようなこの弾性掛合爪の変形を案内する案内面などをこの弾性掛合爪に形成させる必要もない。
【０００８】
前記ターンロック部が、雄パーツの脚部における弾性掛合爪の形成位置よりも先に形成されていると共に、
受けターンロック部が、雌パーツにおける案内面の形成位置より奥に形成されているようにしておくこともある。
【０００９】
このようにしておけば、ターンロック部及び受けターンロック部を、弾性掛合爪及び通し部とは異なる位置に、合理的にレイアウトさせることができる。
【００１０】
前記受けターンロック部を、片一端を雌パーツの内壁に一体に連接させて雄パーツの脚部の回動先側に向けて弧状に延びると共に、片他端に受けロック面を備えた弾性片として構成させておくこともある。
【００１１】
このようにした場合、かかる弾性片は雄パーツの回動方向に沿って弧状に延び、また、一定の長さを有することから、掛合位置にある雄パーツを非掛合位置に向けて回動させることに伴って、ロック面と受けロック面との突き当たりを解くように、かかる弾性片は円滑に変形され、雄パーツとパネル穴との掛合をスムースに解くことができる。
【００１２】
前記雌パーツが、開放された筒一端に外向きに突き出すフランジを備えた角穴状をなすパネル穴に整合した外郭形状を持った角筒状をなすように構成されていると共に、
この雌パーツにおける四つの側部の内の、背中合わせの向きにある一対の側部にそれぞれ通し部が形成され、
かつ、残りの二つの側部にそれぞれ、フランジに向いた掛合面を備えた弾性掛合片が形成されているようにしておくこともある。
【００１３】
このようにした場合、前記パネル穴に取り付け体を雌パーツの筒他端側を先にして入れ込ませることに伴って、弾性掛合片を一旦内向きに撓み込ませた後のこの弾性掛合片がこのパネル穴内に入り込んだ位置での弾発によって、この弾性掛合片とフランジとの間でパネル穴を内外から挟み込んで、このパネル穴にワンタッチで取り付け体を嵌め付けることができる。また、雌パーツの通し部から外方に突き出された雄パーツの弾性掛合爪もパネル穴に掛合されるところ、この弾性掛合爪は雌パーツの四つの側部の内の背中合わせの向きにある二つの側部側においてパネル穴に掛合され、雌パーツの残りの二つの側部においては前記のように弾性掛合片がパネル穴に掛合されることから、取り付け体をパネル穴に安定的にはめ込ませることができる。また、雄パーツを前記非掛合位置に向けて回動操作させるにあたって、パネル穴内において雌パーツが連れ回りしてしまうことはない。また、非掛合位置まで回動された雄パーツを雌パーツ内から抜き出しても雌パーツとパネル穴との掛合が解かれることはなく、抜き出した雄パーツ、あるいは、交換用の雄パーツの脚部をこのようにパネル穴に掛合されている雌パーツ内に入れ込ませることにより、所期のパネル穴へのはめ込み状態を再度容易に作り出すことができる。さらに、パネル穴に対し雌パーツのみを先にはめ込んだ状態から雄パーツの脚部を雌パーツ内に入れ込ませてのパネル穴への取り付けをなすこともできる。
【００１４】
また、この発明にかかるクランプ具は、以上の構成を備えたパネル穴への取り付け体における雄パーツの頭部に、線状体、管状体、又は棒状体のクランプ部を形成させてなるものである。
【００１５】
かかるクランプ具によれば、クランプ部を備えた雄パーツを非掛合位置に向けて回動させることで、パネル穴に雌パーツを残しつつ、パネル穴から取り外すことができる。特に、クランプ部に破損などが生じた場合、雄パーツを交換することで容易に所期のクランプ具として利用できるようにすることができる。
【発明の効果】
【００１６】
この発明にかかるパネル穴への取り付け体にあっては、パネル穴に対する雄パーツの弾性掛合爪の掛合を解く雄パーツの非掛合位置に向けた回動の阻止を、この弾性掛合爪とは別個に設けたターンロック部によってなさしめるようにしていることから、かかる弾性掛合爪に雄パーツのこの回動を解除可能に阻止する機能を併有させた場合に生じてしまう不都合を生じさせることがない。また、この発明にかかるクランプ具にあっては、クランプ部に破損などが生じた場合に、容易かつ適切にクランプ部を備えた雄パーツの交換をなすことができる。
【発明を実施するための最良の形態】
【００１７】
以下、図１ないし図２７に基づいて、この発明を実施するための最良の形態について説明する。
【００１８】
なお、ここで図１、および、図３ないし図１１は、実施の形態にかかる取り付け体Ｔを含んで構成されたクランプ具Ｔａをそれぞれ示しており、特に、図１は、かかるクランプ具Ｔａをパネル穴Ｐａに取り付けた使用状態を、また、図５は、図４の雄パーツ２が掛合位置にある状態から雄パーツ２を非掛合位置に向けて回動させ始めた状態を、それぞれ示している。また、図１２ないし図１９は、かかる雄パーツ２を、図２０ないし図２６は、雌パーツ１を、それぞれ示している。また、図２７は、かかるクランプ具Ｔａを、サンバイザーＳの軸Ｓａを保持するサンバイザークリップとして用いた場合のその使用の様子を示している。
【００１９】
この実施の形態にかかるパネル穴Ｐａへの取り付け体Ｔは、自動車のボディパネルＰなどのパネルに貫通状態に設けられたパネル穴Ｐａにはめ込まれて、このパネルに取り付け用いられるものである。
【００２０】
また、かかる取り付け体Ｔは、パネル穴Ｐａを備えた二枚以上のパネルのそれらのパネル穴Ｐａにはめ込まれて、このはめ込みによってこの二枚以上のパネルを取り付け体Ｔを介して組み付け合わせるようにも用いることができるものである。
【００２１】
また、かかる取り付け体Ｔは、パネル穴Ｐａを備えたパネルと、このパネルの一面に備えられる貫通穴を備えた部品とを、この貫通穴にパネル穴Ｐａを連通させた状態でこのパネル穴Ｐａにはめ込まれることにより、この取り付け体Ｔを介して組み付け合わせるようにも用いることができるものである。
【００２２】
また、この実施の形態にかかるクランプ具Ｔａは、かかる取り付け体Ｔを含んで構成されるものであって、そのクランプ部３をもって線状体、管状体、又は棒状体を保持して、このクランプ具Ｔａを介してこれらを前記パネルなどに支持させるように用いられるものである。
【００２３】
図示の例にあっては、かかる取り付け体Ｔは、車室内側にマット状をなす内装材Ｍの張り込まれた自動車のボディパネルＰに形成されたパネル穴Ｐａに、この内装材Ｍに形成された貫通穴Ｍａを通じてこの車室内側からはめ込まれて、このボディパネルＰにはめ込み固定されるようになっている。（図１）また、図示の例では、かかる取り付け体Ｔを構成する後述する雄パーツ２の頭部２０にクランプ部３が形成されており、かかる取り付け体Ｔがクランプ具Ｔａとして機能するようになっている。図示の例では、かかるクランプ具Ｔａのクランプ部３は、自動車の車室内に設けられるサンバイザーＳの軸Ｓａを抜き出し可能に保持するのに適した構造を持つようになっている。（図２７）
【００２４】
図示の例にあっては、かかるクランプ部３は、雄パーツ２の頭部２０における脚部２１の形成側と反対の側に形成されている。かかるクランプ部３は、フック状をなす下部張り出し部３０によって形成された前方に開放された保持凹部３１と、片上端を頭部の上部に一体に連接させて片下端をこの保持凹部３１の底側に位置づけさせた押さえ片３２とを有しており、線状体、管状体、又は棒状体の側部をこの保持凹部３１に入れ込むことにより、この押さえ片３２の片下端側と下部張り出し部３０の先端内面との間において、これを抜き出し可能に保持するように構成されている。
【００２５】
かかる取り付け体Ｔは、雌パーツ１と、雄パーツ２とから構成されている。
【００２６】
雌パーツ１は、パネル穴Ｐａにはめ込まれてこのパネル穴Ｐａに掛合固定されるように構成されている。
【００２７】
この実施の形態にあっては、かかる雌パーツ１は、開放された筒一端に外向きに突き出すフランジ１０を備えた角穴状をなすパネル穴Ｐａに整合した外郭形状を持った角筒状をなすように構成されていると共に、
この雌パーツ１における四つの側部１１…１１の内の、背中合わせの向きにある一対の側部１１、１１にそれぞれ後述する雄パーツ２の弾性掛合爪２１１の通し部１２が形成され、
かつ、残りの二つの側部１１、１１にそれぞれ、フランジ１０に向いた掛合面１３１を備えた弾性掛合片１３が形成されている。
【００２８】
具体的には、図示の例にあっては、かかる雌パーツ１は、筒一端と筒他端とを共に開放させている。また、四つの側部１１…１１の内、前記通し部１２が形成されている二つの側部１１、１１を巾広とし、弾性掛合片１３が形成されている残りの二つの側部１１、１１をそれよりも巾狭とするように構成されている。
【００２９】
図示の例では、雌パーツ１は、その筒軸方向の略中程の位置に形成された仕切り板部１４によって、筒一端側の手前室１５と、筒他端側の奥室１６とに区分されている。この仕切り板部１４の中央部には、略丸穴状をなす雄パーツ２の脚部２１の通し穴１４１が形成されており、雌パーツ１の筒一端からこの雌パーツ１内に入れ込まれた雄パーツ２の脚部２１の先端側は、この通し穴１４１を通じて手前室１５を通って奥室１６に入り込むようになっている。
【００３０】
また、前記通し部１２は、図示の例では、前記巾広の側部１１を貫通する方形穴として構成されている。この通し部１２は、その上縁を前記フランジ１０の基部に位置させ、かつ、下縁を仕切り板部１４の形成位置よりやや上方に位置させており、雌パーツ１の手前室１５に連通されている。
【００３１】
図示の例では、雌パーツ１の一対の巾広の側部１１、１１の一方に形成された通し部１２における雌パーツ１の筒軸方向に沿った通し部１２の右縁１２１は、この雌パーツ１の一対の巾広の側部１１、１１の他方に形成された通し部１２における雌パーツ１の筒軸方向に沿った通し部１２の左縁１２２よりも右側に位置され、
また、雌パーツ１の一対の巾広の側部１１、１１の一方に形成された通し部１２における雌パーツ１の筒軸方向に沿った通し部１２の左縁１２２は、この雌パーツ１の一対の巾広の側部１１、１１の他方に形成された通し部１２における雌パーツ１の筒軸方向に沿った通し部１２の右縁１２１よりも右側に位置されるようになっている。（図２５）
【００３２】
また、手前室１５内には、雌パーツ１の巾狭の側部１１の内面との間に間隔を開けて、仕切り板部１４から雌パーツ１の筒一端側に向けて突き出す案内板部１５１が、前記通し穴１４１を挟んだ両側にそれぞれ形成されている。そして、このように形成された案内板部１５１の通し穴１４１に向けられた側の板面が、後述する雄パーツ２の回動を案内する案内面１５２として機能するようになっている。
【００３３】
一対の案内板部１５１、１５１の一方は、雌パーツ１の一対の巾広の側部１１、１１の一方に形成された通し部１２の右縁１２１と、この雌パーツ１の一対の巾広の側部の他方に形成された通し部１２の左縁１２２との間に亘るように形成されている。
【００３４】
また、一対の案内板部１５１、１５１の他方は、雌パーツ１の一対の巾広の側部１１、１１の他方に形成された通し部１２の右縁１２１と、この雌パーツ１の一対の巾広の側部１１、１１の一方に形成された通し部１２の左縁１２２との間に亘るように形成されている。
【００３５】
また、かかる一対の案内板部１５１、１５１はそれぞれ、通し部１２の左縁１２２との連接箇所に近づくに連れて、巾狭の側部１１との間の間隔を広げる向きに湾曲されている。
【００３６】
図示の例では、後述するように、雌パーツ１の筒一端からこの雌パーツ１内に脚部２１を入れ込ませた雄パーツ２の、この脚部２１に設けられた弾性掛合爪２１１は、前記通し部１２の左縁１２２側に偏ってこの通し部１２から外方に突き出されてパネル穴Ｐａに掛合されるようになっており、（掛合位置／図３）この掛合位置にある雄パーツ２は、この弾性掛合爪２１１を通し部１２の右縁１２１側から雌パーツ１内に入れ込ませる向きにのみ回動可能となっている。
【００３７】
すなわち、図示の例では、一対の案内板部１５１、１５１における通し部１２の右縁１２１との連接箇所間のピッチｘは、後述するように、雄パーツ２の脚部２１の直径方向両側に形成された弾性掛合爪２１１の頂部２１１ｅ間のピッチよりもやや狭いピッチとなっているが、一対の案内板部１５１、１５１における通し部１２の左縁１２２との連接箇所間のピッチｙはより狭いピッチとなっており、（図２５）これにより、掛合位置にある雄パーツ２は、この弾性掛合爪２１１を通し部１２の右縁１２１側から雌パーツ１内に入れ込ませる向きにのみ回動可能となっている。そして、この向きの回動によって、つまり、非掛合位置への回動によって、雄パーツ２の弾性掛合片１３とパネル穴Ｐａとの掛合が解かれるようになっている。
【００３８】
また、図示の例では、雌パーツ１の一対の巾狭の側部１１、１１にそれぞれ、前記仕切り板部１４の形成箇所から雌パーツ１の筒一端に亘り、かつ、この筒一端において溝一端を外方に開放させた一対の割溝１３２、１３２によって、この一対の割溝１３２、１３２間に弾性掛合片１３が形成されている。
【００３９】
図示の例では、かかる弾性掛合片１３の外面部には、フランジ１０よりもやや低いレベルにあってこのフランジ１０に向いた掛合面１３１と、頂部１３４を挟んだこの掛合面１３１と反対の側に、この頂部１３４に近づくに連れて次第に外向きに張り出す傾斜面１３３とを持った掛合部が形成されている。そして、図示の例では、略長方形の角穴状をなすパネル穴Ｐａ（図２）の一対の短辺間のピッチよりも、雌パーツ１の一対の弾性掛合片１３の掛合部の頂部１３４間のピッチがやや大きくなるようにしてある。また、雌パーツ１のフランジ１０から筒他端までの間はかかるパネル穴Ｐａに入り込む太さとなっているが、かかるフランジ１０はこのパネル穴Ｐａに入り込まない外径を持つように構成されている。
【００４０】
これにより、この実施の形態にあっては、前記パネル穴Ｐａに取り付け体Ｔを雌パーツ１の筒他端側を先にして入れ込ませることに伴って、弾性掛合片１３を一旦内向きに撓み込ませた後のこの弾性掛合片１３の掛合面１３１がこのパネル穴Ｐａ内に入り込んだ位置での弾発によって、この掛合面１３１とフランジ１０との間でパネル穴Ｐａを内外から挟み込んで、このパネル穴Ｐａにワンタッチで取り付け体Ｔを嵌め付けることができる。また、雌パーツ１の通し部１２から外方に突き出された雄パーツ２の弾性掛合爪２１１もパネル穴Ｐａに掛合されるところ、この弾性掛合爪２１１は雌パーツ１の四つの側部１１…１１の内の背中合わせの向きにある二つの側部１１、１１側においてパネル穴Ｐａに掛合され、雌パーツ１の残りの二つの側部１１、１１においては前記のように弾性掛合片１３がパネル穴Ｐａに掛合されることから、取り付け体Ｔをパネル穴Ｐａに安定的にはめ込ませることができる。また、雄パーツ２を前記非掛合位置に向けて回動操作させるにあたって、パネル穴Ｐａ内において雌パーツ１が連れ回りしてしまうことはない。また、非掛合位置まで回動された雄パーツ２を雌パーツ１内から抜き出しても雌パーツ１とパネル穴Ｐａとの掛合が解かれることはなく、抜き出した雄パーツ２、あるいは、交換用の雄パーツ２の脚部２１をこのようにパネル穴Ｐａに掛合されている雌パーツ１内に入れ込ませることにより、所期のパネル穴Ｐａへのはめ込み状態を再度容易に作り出すことができる。さらに、パネル穴Ｐａに対し雌パーツ１のみを先にはめ込んだ状態から雄パーツ２の脚部２１を雌パーツ１内に入れ込ませてのパネル穴Ｐａへの取り付けをなすこともできる。
【００４１】
一方、雄パーツ２は、頭部２０とこの雌パーツ１に入れ込まれる脚部２１とを有すると共に、この脚部２１に雌パーツ１の側部に形成された通し部１２から外方に突き出してパネル穴Ｐａに掛合される弾性掛合爪２１１を備えている。
【００４２】
この実施の形態にあっては、頭部２０は、その一面側の略中央部に、脚部２１の基部を一体に連接させていると共に、その他面側に前記クランプ部３を一体に備えている。
【００４３】
図示の例にあっては、脚部２１は、頭部２０の一面に対し略直交する向きに突き出すように設けられている。また、かかる脚部２１は、その基部からその長さ方向略中程の位置までを円筒状部２１２とし、そこから先を後述するターンロック部２１３としている。この脚部２１は、雌パーツ１の筒一端からこの雌パーツ１内に入れ込まれ、入れ込まれた雄パーツ２の円筒状部２１２は雌パーツ１の手前室１５内の一対の案内板部１５１、１５１間に位置され、ターンロック部２１３は通し穴１４１を通って奥室１６内に位置される。
【００４４】
この円筒状部２１２の直径方向両側にそれぞれ、前記弾性掛合爪２１１が形成されている。かかる弾性掛合爪２１１は、図示の例にあっては、円筒状部２１２の筒軸方向に沿った一対の縦割り溝２１１ａ、２１１ａと、この一対の縦割り溝２１１ａ、２１１ａにおける頭部２０側に位置される溝端間に亘る横割溝２１１ｂとによって区分されたこの円筒状部２１２の一部の外面部に形成されている。この弾性掛合爪２１１は、頭部に向いた掛合面２１１ｃと、頂部２１１ｅを挟んだこの掛合面２１１ｃと反対の側にこの頂部２１１ｅに近づくに連れて次第に外向きに張り出す傾斜面２１１ｄとを有している。
【００４５】
この雄パーツ２の一対の弾性掛合爪２１１、２１１の頂部２１１ｅ間のピッチは、雌パーツ１の巾広の側部１１の内面および外面間のピッチよりも大きくなるようにしてある。そして、図示の例にあっては、前記雌パーツ１内に、この雌パーツ１の巾広の側部１１に弾性掛合爪２１１が向き合う向きで雄パーツ２の脚部２１を入れ込むことにより、この巾広の側部１１の内面に弾性掛合爪２１１が突き当てられて円筒状部２１２の一部を一旦内向きに撓み込ませた後の、この弾性掛合爪２１１が雌パーツ１の通し部１２に入り込み可能な位置での弾性復帰によって、この通し部１２に弾性掛合爪２１１が掛合されて雄パーツ２と雌パーツ１とが留め付け合わされると共に、このように通し部１２から突き出される弾性掛合爪２１１によって、雄パーツ２をまたパネル穴Ｐａに掛合させることができるようにしている。すなわち、図示の例にあっては、前記パネル穴Ｐａの一対の長辺間のピッチよりも一対の弾性掛合爪２１１、２１１の頂部２１１ｅ間のピッチがやや大きくなるようにしてあり、取り付け体Ｔをこのパネル穴Ｐａに入れ込ませることにより、かかる弾性掛合爪２１１を一旦内向きに撓み込ませた後のこの弾性掛合爪２１１の掛合面２１１ｃがこのパネル穴Ｐａ内に入り込んだ位置での弾発によって雄パーツ２自体もパネル穴Ｐａにワンタッチで留め付けられるようになっている。
【００４６】
そして、雌パーツ１の内部には、雄パーツ２の脚部２１を回動軸としたこの雄パーツ２の回動を案内する前記案内面１５２が形成されており、雄パーツ２は前記のように弾性掛合爪２１１を通し部１２から突き出した掛合位置からこの弾性掛合爪２１１を雌パーツ１内に引き込ませる非掛合位置に向けた回動可能に雌パーツ１に組み合わされるようになっている。
【００４７】
また、かかる雌パーツ１には、非掛合位置に向けた雄パーツ２の回動を阻止するように、この雄パーツ２に形成されたターンロック部２１３のこの回動先側に向けたロック面２１３ａに突き当たる受けロック面１６２を備えた受けターンロック部１６１が形成されている。
【００４８】
図示の例にあっては、かかるターンロック部２１３は、雄パーツ２の脚部２１の直径方向両側にそれぞれ形成されると共に、前記円筒状部２１２の末端に基端を一体に連接させて突き出す延設片２１３ｂによって構成されている。
【００４９】
この延設片２１３ｂは、円筒状部２１２の外周面が位置される仮想の円の円弧に略倣った外面と内面とを持った湾曲板部２１３ｃと、この湾曲板部２１３ｃの一方縁部に沿って設けられると共に、この一方縁部から前記仮想の円の円心に向けて突き出すように形成された折り返し板部２１３ｄとを有している。一対の延設片２１３ｂの一方の折り返し板部２１３ｄと一対の延設片２１３ｂの他方の他方縁部との間、および、一対の延設片２１３ｂの他方の折り返し板部２１３ｄと一対の延設片２１３ｂの一方の他方縁部との間にはそれぞれ、間隙２１３ｅが形成されており、この間隙２１３ｅに臨んだ折り返し板部２１３ｄの外面が前記ロック面２１３ａとして機能するようになっている。
【００５０】
そして、この実施の形態にあっては、前記受けターンロック部１６１が、非掛合位置に向けた雄パーツ２の回動によって、ロック面２１３ａと受けロック面１６２との突き当たりを解く向きに弾性変形されるようになっている。
【００５１】
図示の例にあっては、かかる受けターンロック部１６１は、雌パーツ１の奥室１６内に形成されている。そして、かかる受けターンロック部１６１は、雌パーツ１の通し部１２から弾性掛合爪２１１を外方に突き出させるようにしてこの雌パーツ１内に脚部２１を入れ込ませた雄パーツ２の掛合位置において、前記ターンロック部２１３のロック面２１３ａに前記のように突き当たる受けロック面１６２を有している。
【００５２】
これにより、この実施の形態にかかる取り付け体Ｔによれば、パネル穴Ｐａに掛合固定された雌パーツ１内に脚部２１を入れ込ませた雄パーツ２の弾性掛合爪２１１を雌パーツ１の通し部１２を通じてパネル穴Ｐａに掛合させることができ、これにより、パネル穴Ｐａに雄パーツ２を留め付けることができる。また、このように留め付けられた雄パーツ２を非掛合位置に向けて雌パーツ１内で回動させることにより、弾性掛合爪２１１を雌パーツ１内に引き込ませることができ、これにより、雌パーツ１をパネル穴Ｐａに残しながら雄パーツ２とパネル穴Ｐａとの掛合を解いてパネル穴Ｐａから雄パーツ２を取り外すことができる。また、かかる雄パーツ２の非掛合位置に向けた回動は、ターンロック部２１３のロック面２１３ａと受けターンロック部１６１の受けロック面１６２との突き当たりによって阻止されることから、予期せず雄パーツ２が回動されてパネル穴Ｐａと雄パーツ２との留め付け状態が解かれてしまうことはない。その一方で、雄パーツ２の前記非掛合位置に向けた回動は、前記弾性変形によるロック面２１３ａと受けロック面１６２との突き当たりを解くことによって確保させることができる。雄パーツ２の弾性掛合爪２１１は前記非掛合位置に向けた回動により雌パーツ１内に引き込み可能な状態でこの雌パーツ１の通し部１２から外方に突き出されるが、ターンロック部２１３と受けターンロック部１６１はこの弾性掛合爪２１１及び通し部１２とは別個に形成されており、非掛合位置に向けた雄パーツ２の回動の阻止を通し部１２に弾性掛合爪２１１を突き当てさせることにより実現させる訳ではないので、この回動にあたって弾性掛合爪２１１を無理に変形させてしまうことはなく、この回動のための弾性変形を生じ易くすることができると共に、弾性掛合爪２１１の掛合代を減らすようなこの弾性掛合爪２１１の変形を案内する案内面１５２などをこの弾性掛合爪２１１に形成させる必要もない。
【００５３】
この実施の形態にあっては、ターンロック部２１３が、雄パーツ２の脚部２１における弾性掛合爪２１１の形成位置、つまり、円筒状部２１２よりも先に形成されていると共に、
受けターンロック部１６１が、雌パーツ１における案内面１５２の形成位置、つまり、手前室１５より奥の奥室１６に形成されている。
【００５４】
これにより、この実施の形態にあっては、ターンロック部２１３及び受けターンロック部１６１を、弾性掛合爪２１１及び通し部１２とは異なる位置に、合理的にレイアウトさせることができるようになっている。
【００５５】
また、この実施の形態にあっては、前記受けターンロック部１６１が、片一端を雌パーツ１の内壁に一体に連接させて雄パーツ２の脚部２１の回動先側に向けて弧状に延びると共に、片他端に受けロック面１６２を備えた弾性片１６３として構成されている。
【００５６】
図示の例にあっては、雌パーツ１の奥室１６における通し穴１４１を挟んだ両側にそれぞれ、かかる弾性片１６３が形成されている。いずれの弾性片１６３も、その片他端の内面側に頭部１６４を有しており、この頭部１６４における片一端側に向けられた面が前記受けロック面１６２として機能されるようになっている。また、いずれの弾性片１６３も、通し穴１４１に沿うように湾曲されており、雌パーツ１を筒一端側から視た状態において、この弾性片１６３の頭部１６４のみを通し穴１４１内に臨ませるように構成されている。また、一対の弾性片１６３、１６３の一方は、雌パーツ１の一対の巾広の側部１１、１１の一方の内壁に片一端を一体に連接させ、かつ、一対の弾性片１６３、１６３の他方は、雌パーツ１の一対の巾広の側部１１、１１の他方の内壁に片一端を一体に連接させている。そして、図示の例にあっては、雌パーツ１内にこの雌パーツ１の通し部１２から弾性掛合爪２１１を突き出させる向きで脚部２１を入れ込まれた雄パーツ２のターンロック部２１３を構成する一対の延設片２１３ｂ、２１３ｂの一方のロック面２１３ａがこの一対の弾性片１６３、１６３の一方の受けロック面１６２に接し、かつ、このターンロック部２１３を構成する一対の延設片２１３ｂ、２１３ｂの他方のロック面２１３ａがこの一対の弾性片１６３、１６３の他方の受けロック面１６２に接するようになっている。そして、前記掛合位置から非掛合位置に向けて雄パーツ２を回動させると、雄パーツ２のロック面２１３ａが受けロック面１６２に押し付けられ、この押し付けによって弾性片１６３がその片他端を外向きに広がり出させるように弾性変形され、この変形によりロック面２１３ａと受けロック面１６２との突き当たりが解かれて雄パーツ２の非掛合位置までの回動が許容されるようになっている。
【００５７】
かかる弾性片１６３は雄パーツ２の回動方向に沿って弧状に延び、また、一定の長さを有することから、掛合位置にある雄パーツ２を非掛合位置に向けて回動させることに伴って、ロック面２１３ａと受けロック面１６２との突き当たりを解くように、かかる弾性片１６３は円滑に変形される。
【００５８】
以上に説明した取り付け体Ｔを含んで構成されるクランプ具Ｔａは、クランプ部３を備えた雄パーツ２を非掛合位置に向けて回動させることで、パネル穴Ｐａに雌パーツ１を残しつつ、パネル穴Ｐａから取り外すことができる。特に、クランプ部３に破損などが生じた場合、雄パーツ２を交換することで容易に所期のクランプ具Ｔａとして利用できるようにすることができる。
【００５９】
なお、以上に説明した雄パーツ２および雌パーツ１の弾性変形特性を有する部分へのこの特性の付与は、典型的には、かかる雄パーツ２及び雌パーツ１をプラスチック成形品として構成することで容易に確保することができる。
【図面の簡単な説明】
【００６０】
【図１】取り付け体Ｔ（クランプ具Ｔａ）の使用状態を示した正面図
【図２】パネル穴Ｐａの平面図
【図３】取り付け体Ｔ（クランプ具Ｔａ）の斜視構成図
【図４】同斜視構成図（雄パーツ２が掛合位置にある状態）
【図５】同斜視構成図（雄パーツ２を非掛合位置に向けて回動させた状態）
【図６】同分離斜視構成図
【図７】取り付け体Ｔ（クランプ具Ｔａ）の正面図
【図８】同左側面図
【図９】同平面図
【図１０】同底面図
【図１１】図９におけるＡ−Ａ線断面図
【図１２】雄パーツ２の正面図
【図１３】同左側面図
【図１４】同平面図
【図１５】同底面図
【図１６】図１４におけるＤ−Ｄ線断面図
【図１７】図１４におけるＥ−Ｅ線断面図
【図１８】図１２におけるＢ−Ｂ線断面図
【図１９】図１２におけるＣ−Ｃ線断面図
【図２０】雌パーツ１の平面図
【図２１】同底面図
【図２２】同正面図
【図２３】同左側面図
【図２４】図２０におけるＦ−Ｆ線断面図
【図２５】図２２におけるＧ−Ｇ線断面図
【図２６】図２２におけるＨ−Ｈ線断面図
【図２７】サンバイザーＳの軸Ｓａをクランプ具Ｔａによって保持するようにした使用例を示した斜視構成図
【符号の説明】
【００６１】
Ｐａ  パネル穴
Ｔ  取り付け体
１  雌パーツ
１２  通し部
１５２  案内面
１６１  受けターンロック部
１６２  受けロック面
２  雄パーツ
２０  頭部
２１  脚部
２１１  弾性掛合爪
２１３  ターンロック部
２１３ａ  ロック面
【図１】
2006090439.tif 000003
【図２】
2006090439.tif 000004
【図３】
2006090439.tif 000005
【図４】
2006090439.tif 000006
【図５】
2006090439.tif 000007
【図６】
2006090439.tif 000008
【図７】
2006090439.tif 000009
【図８】
2006090439.tif 000010
【図９】
2006090439.tif 000011
【図１０】
2006090439.tif 000012
【図１１】
2006090439.tif 000013
【図１２】
2006090439.tif 000014
【図１３】
2006090439.tif 000015
【図１４】
2006090439.tif 000016
【図１５】
2006090439.tif 000017
【図１６】
2006090439.tif 000018
【図１７】
2006090439.tif 000019
【図１８】
2006090439.tif 000020
【図１９】
2006090439.tif 000021
【図２０】
2006090439.tif 000022
【図２１】
2006090439.tif 000023
【図２２】
2006090439.tif 000024
【図２３】
2006090439.tif 000025
【図２４】
2006090439.tif 000026
【図２５】
2006090439.tif 000027
【図２６】
2006090439.tif 000028
【図２７】
2006090439.tif 000029